(57)【要約】      （修正有）【課題】油吸着剤の消耗品の使用をなくして交換の不便さを解消し、かつ効率よく油脂分を分離できる簡便で経済的な油水分離装置を提供する。【解決手段】油脂分と水の比重の差に注目して、油水分離槽に設置される油排出管と水排出管（部）の高さとを比較したとき水排出管（部）の高さが油排出管より低くなるように所定の水位レベル差をもたせることによって絞り管から排出される排水から油脂分と水とを簡単に分離し排出できる構造としている。【選択図】図２
2005288343.tif 000002
【特許請求の範囲】
【請求項１】
排水回収槽２から下方に延びている絞り管３と、この絞り管３から排出される排水を滞留する油水分離槽４と、この油水分離槽４に設置される油排出管６と水排出管７とからなる油水分離装置において、前記油排出管と水排出管との設置高さとを比較したとき水排出管の高さが油排出管より低くなるように所定の水位レベル差をもたせることによって油と水の比重の差を利用して絞り管３から排出される排水から油脂分と水とを分離し油と水を前記油排出管６と水排出管７から排出することを特徴とする油水分離装置。
【請求項２】
油水分離槽４に分離壁を適宜に配置して、絞り管３からの排出される排水がこの分離壁を巡って流れる間に巡る滞溜時間と流速の関係により排水から油脂分を分離することを特徴とする請求項１の油水分離装置。
【請求項３】
前記分離壁は渦巻き状またはハの字状または平行に配置されることを特徴とする請求項２の油水分離装置。
【発明の詳細な説明】
【技術分野】
【０００１】
本発明は、飲食店等の厨房からでる排水に含まれる油脂類を除去するために使用される油水分離装置に関する。
【背景技術】
【０００２】
ラーメン店等の厨房からでる排水には油脂分（別名グリースともいう。）が多く含まれるため、業務用の厨房には、グリース阻集器を設置して除去し下水に流れ込まないようにしている。この種のものに特開２００４−４１８８２号公報がある。油吸着材保持ケースを数段設け、これらの上方から油脂分を含む排水を流下させる方法を採用している。
【０００３】
この従来のものは、数段の油吸着材保持ケースを用いているので、目詰まり防止のため定期的に油吸着材を交換しなければならないという不便さと不経済性があった。
【０００４】
【特許文献１】特開２００４−４１８８２号公報
【特許文献２】特開２００２−１８８１９８号公報
【発明の開示】
【発明が解決しようとする課題】
【０００５】
本発明の解決しようとする課題は、油吸着材の消耗品の使用をなくして交換の不便さを解消し、かつ効率よく油脂分を分離できる簡便で経済的な油水分離装置を提供することにある。
【課題を解決するための手段】
【０００６】
油脂分と水の比重の差に注目して、油水分離槽に設置される油排出管と水排出管の高さとを比較したとき水排出管の高さが油排出管より低くなるように所定の水位レベル差をもたせることによって絞り管から排出される排水から油脂分と水とを簡単に分離し排出できる構造としている。
【発明を実施するための最良の形態】
【０００７】
実施例１に本発明の一つの実施例を示す。
実施例２に本発明の他の実施例を示す。
【実施例１】
【０００８】
図１を参照して、本発明を概略的に説明すると、１は排水から食品の食べ滓などを取り除くバスケットで、油脂分を含んだ排水は、排水回収水槽２に貯められる。排水回収水槽２の排水は、絞り管３から油水分離槽４に排出され貯蔵される。油水分離槽４には、油脂分を含んだ排水と油脂分を分離した排水（以下水という）とを分離する隔壁５と油脂分を排出する油排出管６と水を排出する排水管７が配置されている。８は排出した油の油貯溜槽である。
【０００９】
図２（ａ）（ｂ）を参照して、排水から油脂分を分離する方法を説明する。図（ｂ）は矢視Ａ−Ａから見た断面図である。
図（ａ）は油水分離槽４の平面図を示し、排水回収水槽２から下に延びている絞り管３の周囲を渦巻き状に分離壁９が設けられており、その下部は油水分離槽４の底に清掃のため着脱可能に固定されている。
【００１０】
隔壁５で分離槽13A,13Bに２分される油水分離槽４に設けられた油排出管６と水排出管７の設置高さについて油と水の比重の違いを利用して水排出管７の高さが油排出管６より低くなるように所定の水位レベル差Ｄをもたせている。
【００１１】
概略的に水位レベル差Ｄについて説明すると、一般的な厨房で使用される油の比重は、0.9から0.95程度である。油排出管６と水排出管７とのレベル差Dを仮に8mmに設定したとすると、油の比重が0.9の場合、油層１１の厚さは80mmとなる。油の比重が0.95の場合、油層１１の厚さは160mmとなる。
絞り管３と隔壁５の深さは、この数値以上にすれば良い。アプリケーションによって油水分離槽４の深さが決まるが、レベル差Dは、ほぼ8mm前後で実施可能となる。
【００１２】
油水分離槽４の分離室13Aにおいて渦巻き状に分離壁９に囲まれた絞り管３の下部から排出される油脂分を含んだ排水は、矢印１０のように分離壁９内をぐるぐるまわる間に十分な滞留時間と流速の関係により符号１１で示すように比重の軽い油脂分が水面に浮ぶ形になる。分離された水は、隔壁５の開口部１２を潜って水槽部１３Bに導かれ、水排出レベル１４に達すると水排出管７から排出される。比重の軽い油脂分が油排出レベル１５に達すると油排管６から排出される。前記水位レベル差Ｄによって排水から油脂分が簡単に分離できる。上記のように分離壁９を排水が渦巻き状に順次回流して巡ることにより、十分な滞溜時間と流速の関係で油脂分が排水から簡単に分離されて浮く。
【実施例２】
【００１３】
他の実施例について、図３（ａ）（ｂ）を参照して詳細に説明する。図（ａ）は、油水分離槽４の平面図、図（ｂ）は矢視Ｂ−Ｂから見た断面図である。
上記実施例１と同様に油排出管６と水排出管７の設置高さについて水排出管７の高さが油排出管６より低くなるように所定の水位レベル差Ｄをもたせている
この例では、油脂分を含んだ排水と油脂分を分離した排水（以下水という）とを分離する隔壁５が不要である。
【００１４】
絞り管３は、油水分離槽４の左端にある。分離壁１６Ａ、１６Ｂ、１６Ｃが千鳥状に配置され、分離槽１７Ａ，１７Ｂ，１７Ｃ，１７Ｄが配置されている。各分離壁１６Ａ〜１６Ｃは、油水分離槽４の底に固定されている。
絞り管３から排出される排水は、分離槽１７Ａを通り、矢印１８，１９，２０で示すように、分離壁１６Ａ、１６Ｂ、１６Ｃ７Ｂ，１７Ｃを順次巡り、分離槽１７Ｄに達する。その間に符号１１で示すように、比重の軽い油脂分は水面に浮く。
【００１５】
このケースで、符号２１は水排出用のトラップ管と称するもので、その下端は図示するように油水分離槽４内に深く下がっており、油層１１の下面より深い位置にある。トラップ管２１を昇ってくる油水分離槽４内の水がレベル１４より高くなると外部に排出される。他方符号１１で示す油脂分（油層）のレベルが、排水管７よりレベル差Ｄだけ高く設定されているレベル１５を超えると油排出管６より外部に排出される。
【００１６】
図４(a)(b)は、油水分離槽４の平面図で、図３に示すハの字状に配置した分離壁の変形例である。
図（ａ）では、油水分離槽４に開口部２３を有する分離壁２２はそれぞれ平行に配置して、油水分離槽４を符号A〜Fで示すように細分化している。前記と同様に所定の滞留時間と流速との関係で油脂分が排水から分離されるように配慮されている。開口部２３の大きさは、油層１１と水の量が分離のために矢印のように順次十分巡回できる程度で良い。水はトラップ管21のL字状の上辺にあたる排水部７から、油脂分は油排出管６から排出される。
【００１７】
図（ｂ）では、それぞれ平行に配置された分離壁２６が櫛歯状に交互に配置され、油水分離槽４を符号A〜Fで示すように細分化している。前記と同様に所定の滞留時間と流速との関係で油脂分が排水から分離されるように配慮されている。油脂分を含んだ排水は、油脂分の分離のため矢印のように分離壁２６を符号A〜Eまでの細分化された分離槽を順次十分巡回して最終層のFまで導かれる。水はトラップ管21のL字状の上辺にあたる排水部７から、油脂分は油排出管６から排出される。
分離壁２２，２６は清掃の着脱可能に油水分離槽４に固定されている。
【００１８】
図５は、他の実施例を示し、油貯溜槽８に代えて貯留タンク１６としてもよい。
また油水分離槽４に浮上した油脂分が冷えて固化するのを防止するため油水分離槽４にヒータ１７を取付けまたは巻きつけても良いし，槽４内にヒータ管を設置して所定の温度に保ってもよい。
【００１９】
上記のごとく、油水分離槽４に油排出管６と水排出管（部）７の設置高さについて水排出管（部）７の高さが油排出管６より低くなるように所定の水位レベル差Ｄを設けて油排出管６と水排出管（部）７を設置する構成によって、絞り管３から排出される排水から比重の差を利用して油脂分を簡単に分離できる。
本発明によれば、油吸着材の交換による消耗品費用の増大、目詰まり・油吸着量を超えた油分の垂れ流しという欠点が解消できるという効果を奏する。
【図面の簡単な説明】
【００２０】
【図１】本発明の一実施例の概略説明図である。
【図２】本発明の一実施例の詳細説明図である。
【図３】本発明の他の実施例の詳細説明図である。
【図４】本発明の他の実施例で、分離壁の変形例の平面説明図である。
【図５】本発明の他の実施例の説明図である。
【符号の説明】
【００２１】
３・・・絞り管
４・・・油水分離槽
６・・・油排出管
７・・・水排出管（部）
９・・・分離壁
１１・・・油層
１６Ａ〜１６Ｃ・・・分離壁
２１・・・トラップ管
２２・２６・・・分離壁
D・・・水と油のレベル差
【図１】
2005288343.tif 000003
【図２】
2005288343.tif 000004
【図３】
2005288343.tif 000005
【図４】
2005288343.tif 000006
【図５】
2005288343.tif 000007
【手続補正書】
【提出日】平成16年4月2日(2004.4.2)
【手続補正１】
【補正対象書類名】明細書
【補正対象項目名】０００８
【補正方法】変更
【補正の内容】
【０００８】
図１を参照して、本発明を概略的に説明すると、１は排水から食品の食べ滓などを取り除くバスケットで、油脂分を含んだ排水は、排水回収水槽２を通り、絞り管３から油水分離槽４に排出され滞留される。油水分離槽４には、油脂分を含んだ排水と油脂分を分離した排水（以下水という）とを分離する隔壁５と油脂分を排出する油排出管６と水を排出する排水管７が配置されている。８は排出した油の油貯溜槽である。
【手続補正２】
【補正対象書類名】明細書
【補正対象項目名】００１４
【補正方法】変更
【補正の内容】
【００１４】
絞り管３は、油水分離槽４の左端にある。分離壁１６Ａ、１６Ｂ、１６Ｃが千鳥状に配置され、分離槽１７Ａ，１７Ｂ，１７Ｃ，１７Ｄが配置されている。各分離壁１６Ａ〜１６Ｃは、油水分離槽４の底に固定されている。
絞り管３から排出される排水は、分離槽１７Ａを通り、矢印１８，１９，２０で示すように、分離壁１６Ａ、１６Ｂ、１６Ｃ、１７Ｂ，１７Ｃを順次巡り、分離槽１７Ｄに達する。その間に符号１１で示すように、比重の軽い油脂分は水面に浮く。
【手続補正３】
【補正対象書類名】明細書
【補正対象項目名】００１７
【補正方法】変更
【補正の内容】
【００１７】
図（ｂ）では、それぞれ平行に配置された分離壁２６が櫛歯状に交互に配置され、油水分離槽４を符号A〜Fで示すように細分化している。前記と同様に所定の滞留時間と流速との関係で油脂分が排水から分離されるように配慮されている。油脂分を含んだ排水は、油脂分の分離のため矢印のように分離壁２６を符号A〜Eまでの細分化された分離槽を順次十分巡回して最終層のFまで導かれる。水はトラップ管21のL字状の上辺にあたる排水部７から、油脂分は油排出管６から排出される。
【手続補正４】
【補正対象書類名】明細書
【補正対象項目名】００１８
【補正方法】変更
【補正の内容】
【００１８】
図５は、他の実施例を示し、油貯溜槽８に代えて貯留タンク２４としてもよい。
また油水分離槽４に浮上した油脂分が冷えて固化するのを防止するため油水分離槽４にヒータ２５を取付けまたは巻きつけても良いし，槽４内にヒータ管を設置して所定の温度に保ってもよい。